(57)【要約】【課題】基板ケース内の制御基板上の基板側コネクタと接続されたハーネス側コネクタの不正な挿脱操作ができないようにした基板ケースを提供する。【解決手段】相手コネクタが接続される基板側コネクタを備えた制御基板と、前記制御基板を内部に収容可能であるとともに、前記制御基板を収容した状態で、前記基板側コネクタのコネクタ接続部を外方に露出させるコネクタ挿抜孔を有し、制御対象本体に取り付けられる基板収容部材と、前記コネクタ接続部に前記相手コネクタを接続した状態において、前記コネクタ挿抜孔及び前記相手コネクタを覆って、前記基板収容部材に取り付けられたコネクタ蓋部材と、前記制御対象本体に、前記コネクタ蓋部材を取外し不可能に結合させる封止部材とを備える基板ケースを提供する。【選択図】図９
2008154897.tif 000002
【特許請求の範囲】
【請求項１】
相手コネクタが接続される基板側コネクタを備えた制御基板と、
前記制御基板を内部に収容可能であるとともに、前記制御基板を収容した状態で、前記基板側コネクタのコネクタ接続部を外方に露出させるコネクタ挿抜孔を有し、制御対象本体に取り付けられる基板収容部材と、
前記コネクタ接続部に前記相手コネクタを接続した状態において、前記コネクタ挿抜孔及び前記相手コネクタを覆って、前記基板収容部材に取り付けられたコネクタ蓋部材と、
前記制御対象本体に、前記コネクタ蓋部材を取外し不可能に結合させる封止部材と、
を備える基板ケース。
【請求項２】
前記制御対象本体に、前記封止部材によって、前記コネクタ蓋部材と前記基板収容部材とが一緒に結合されることを特徴とする請求項１に記載の基板ケース。
【請求項３】
前記封止部材は、少なくとも前記封止部材の一部を破壊しなければ、前記コネクタ蓋部材もしくは前記基板収容部材を、前記制御対象本体から取り外すことができないように構成されることを特徴とする請求項１もしくは請求項２に記載の基板ケース。
【発明の詳細な説明】
【技術分野】
【０００１】
本発明は、内部に基板が保持されて遊技盤の裏面側に取り付けられる基板ケースに関する。
【背景技術】
【０００２】
パチンコ機やスロットマシン等の遊技機には、この遊技機の作動を制御する制御基板が設けられている。例えば、パチンコ遊技機では、外枠に対して開閉可能に組み付けられた前枠裏側の収容枠に遊技盤等が装備され、この遊技盤に制御基板が取り付けられている。これらの制御基板は、賞球もしくはメダルの払出制御、電動役物の開閉制御、リールの回転制御、図柄組み合わせの発生確率制御等、パチンコ機もしくはスロットマシンの作動を制御する基板である。
【０００３】
このような遊技機では、正規の基板やＲＯＭ以外のものが使用されると、遊技機の出球率が正規の値と異なる値となって、公正な遊技の提供ができなくなるので、正規以外の基板やＲＯＭの使用を禁止する必要がある。そこで、例えば、メイン制御基板やサブ制御基板は、一旦内部に収容されると、開放して取り出すことができない構成の基板ケースに収容されている。一方、メイン制御基板とサブ制御基板との間は、ハーネスによって電気的に接続され、電気信号の送受信等が可能となっている。
【０００４】
これらの基板間の電気的接続は、一般的にコネクタによって行われる。基板側コネクタを実装した基板は、基板側コネクタのコネクタ接続部を外方に露出させるコネクタ挿抜孔を有した基板ケースに収容される。このコネクタ挿抜孔を介して、基板側コネクタにハーネス側コネクタが挿着されるように構成された基板ケースが知られている（例えば、特許文献１）。
【０００５】
【特許文献１】特開２００６−２５５２５８号公報
【発明の開示】
【発明が解決しようとする課題】
【０００６】
上述した基板ケースによれば、基板側コネクタのコネクタ接続部が、コネクタ挿抜孔を介して外方に露出するので、基板側コネクタに対するハーネス側コネクタの挿抜操作が容易であり、ハーネス側コネクタを基板側コネクタから抜脱して、正規以外の部品が接続されたハーネスと交換される虞がある。そして、このような不正なハーネスへの交換が行われると、遊技機の出球率が正規の値と異なって、公正な遊技の提供ができなくなるという問題が発生する。
【０００７】
本発明はこのような課題に鑑みてなされたものであり、基板ケース内の制御基板上の基板側コネクタに接続されたハーネス側コネクタの不正な挿抜操作ができないようにした基板ケースを提供することを目的とする。
【課題を解決するための手段】
【０００８】
上記課題を解決するために、本発明に係る基板ケース（例えば、実施形態における主基板アッセンブリ３０）は、相手コネクタ（例えば、実施形態におけるハーネス側コネクタ）が接続される基板側コネクタ（例えば、実施形態における接続コネクタ３３）を備えた制御基板（例えば、実施形態における主制御基板３１）と、前記制御基板を内部に収容可能であるとともに、前記制御基板を収容した状態で、前記基板側コネクタのコネクタ接続部（例えば、実施形態におけるコネクタ接続部３６）を外方に露出させるコネクタ挿抜孔（例えば、実施形態におけるコネクタ挿抜孔６８）を有し、制御対象本体（例えば、実施形態におけるパチンコ機ＰＭ）に取り付けられる基板収容部材（例えば、実施形態における主基板ケース１００）と、前記コネクタ接続部に前記相手コネクタを接続した状態において、前記コネクタ挿抜孔及び前記相手コネクタを覆って、前記基板収容部材に取り付けられたコネクタ蓋部材（例えば、実施形態におけるコネクタカバー８０）と、前記制御対象本体に、前記コネクタ蓋部材を取外し不可能に結合させる封止部材（例えば、実施形態におけるカシメ部材９０）とを備える。
【０００９】
前記制御対象本体に、前記封止部材によって、前記コネクタ蓋部材と前記基板収容部材とが一緒に結合されるように構成することが好ましい。
【００１０】
前記封止部材は、少なくとも前記封止部材の一部を破壊しなければ、前記コネクタ蓋部材もしくは前記基板収容部材を、前記制御対象本体から取り外すことができないように構成されることが好ましい。
【発明の効果】
【００１１】
本発明に係る基板ケースを以上のように構成すると、コネクタ蓋部材が、封止部材によって制御対象本体に取り外し不可能に結合されるので、コネクタ蓋部材の結合状態を壊さなければ、基板側コネクタに対して相手コネクタを挿抜することができない。したがって、正規のハーネスを不正なハーネスに取り替えるという不正行為を抑止できる。
【００１２】
このとき、制御対象本体に、封止部材によって、コネクタ蓋部材と基板収容部材とが一緒に結合されることによって、基板収容部材の内部に収容された制御基板に対する不正行為も効果的に抑止できる。
【００１３】
また、封止部材の一部を破壊することにより、コネクタ蓋部材もしくは基板収容部材を制御対象本体から取り外すことができるので、基板の故障等によって、基板側コネクタから相手コネクタを抜脱する際は、破損した封止部材に換えて、新たな封止部材に交換すれば良く、基板収容部材及びコネクタ蓋部材が破損することを防ぐことができる。
【発明を実施するための最良の形態】
【００１４】
以下、本発明の好ましい実施形態について図面を参照して説明する。まず、本発明に係る遊技機の代表例としてパチンコ機ＰＭを図１に示し、この図面を参照してパチンコ機ＰＭの全体構成について説明する。ここで、図１はパチンコ機ＰＭの正面図である。
【００１５】
パチンコ機ＰＭは、外郭方形枠サイズに構成された縦向きの固定保持枠を成す外枠１の開口前面に、これに合わせた方形枠サイズに構成されて開閉搭載枠を成す前枠２が互いの左側縁部に配設された上下のヒンジ機構３ａ，３ｂにより横開き開閉及び着脱が可能に取り付けられ、常に右側縁部に設けられた施錠機構４を利用して外枠１に閉鎖施錠された状態で保持される。
【００１６】
前枠２の各部には、パチンコ遊技を展開する遊技展開部材として、前枠２の前側面域に合わせた方形状のガラス扉５及び球皿６が正面左側部に設けられたヒンジ機構７ａ，７ｂ，７ｃを利用して横開き開閉及び着脱が可能に組付けられ、球皿６の右側下部には遊技球の発射操作を行う操作ハンドル８が装備されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５に遊技盤１０の正面の遊技領域ＰＡを臨ませている。
【００１７】
なお、遊技盤１０は、板厚１９ｍｍ程度の積層合板を図示する所定形状に切断及びルーター加工して、その表面に所定意匠のセルを貼り付けた化粧板（ベニヤ板とも称される）１１を基板として構成される。また、前枠２には、帯状の案内レール１２が円弧状に固設され、この案内レール１２で囲まれた内側に上述の遊技領域ＰＡが区画される。
【００１８】
遊技領域ＰＡには、多数本の遊技釘とともにランプ風車や一般風車等の風車２１、一般入賞具や始動具並びに大入賞口を備えたアタッカー等の入賞具２２、及び遊技の進行状況に応じて所定の画像を表示させる画像表示装置２３が取り付けられ、遊技領域ＰＡの下端には入賞具２２に入賞せずに落下した遊技球（「アウト球」という）を遊技盤１０の裏面に排出させるアウト口２４が設けられている。各入賞具２２に落入した遊技球（「セーフ球」という）は、これらの入賞具２２に設けられた入賞口スイッチ又は始動口スイッチにより検出され、化粧板１１を貫通するセーフ球通路を通って遊技盤１０の裏面に排出される。また、アウト口２４に集められたアウト球は化粧板１１を貫通するアウト球通路孔を通って遊技盤１０の裏面側に排出される。
【００１９】
以上のように構成されたパチンコ機ＰＭは、前枠２、ガラス扉５及び球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置（図示せず）により１球ずつ遊技盤１０の遊技領域ＰＡに打ち出され、以降パチンコゲームが展開される。
【００２０】
遊技盤１０の裏面側には、パチンコ機ＰＭ全体の制御を行う主制御基板３１（図４参照）が収容された主基板アッセンブリ３０や、画像表示装置２３に表示される画像の制御を行う画像制御基板（図示せず）
が収容された画像制御基板アッセンブリ４０が取り付けられている。それでは、図２及び図３を参照して、遊技盤１０の裏面側に取り付けられた主基板アッセンブリ３０及び画像制御基板アッセンブリ４０について説明する。ここで、図２は遊技盤１０の背面図であり、図３は遊技盤１０を後方から見た斜視図である。なお、以降の説明においては、図２及び図３の状態を基準にして前後左右、及び上下を定義する（図３参照）。
【００２１】
遊技盤１０の中央部には、画像表示装置２３を取り付けるための図示しない開口部が形成されており、この開口部を後方から覆うように画像制御基板アッセンブリ４０が配設されている。画像制御基板アッセンブリ４０の左右両側部の上下には合計４個の取付突起部４０ａ，４０ｂが形成されており、この取付突起部４０ａ，４０ｂがネジ締結等で遊技盤１０に取り付けられて画像制御基板アッセンブリ４０が遊技盤１０に固定される。
【００２２】
また、遊技盤１０の下部における裏面側の左右縁部には、主基板取付部材１３ａ，１３ｂが配設されており、この主基板取付部材１３ａ，１３ｂに主基板アッセンブリ３０が取り付けられている。主基板取付部材１３ａ，１３ｂは、遊技盤１０の後方に突出するように形成されており、主基板アッセンブリ３０の上部が、後面視において、画像制御基板アッセンブリ４０の下部を後方から覆うように遊技盤１０に取り付けられている。このように、主基板アッセンブリ３０が画像制御基板アッセンブリ４０の一部を覆う（後面視において一部が重なる）ように配置することにより、画像制御基板アッセンブリ４０の大型化に対して遊技盤１０の上下方向寸法を大きくすることなく、これらのアッセンブリ３０，４０をこの遊技盤１０の裏面側に配設することができる。
【００２３】
次に、主基板アッセンブリ３０について図４〜図６を用いて説明する。ここで、図４は主基板アッセンブリ３０の分解斜視図であり、図５は主基板ケース１００を構成するケース蓋部材６０を示す図であり、図６は主基板アッセンブリ３０の平面図である。
【００２４】
主基板アッセンブリ３０は、パチンコ機ＰＭの作動を統括的に制御する主制御基板３１と、主制御基板３１を内部に収容する主基板ケース１００と、主基板ケース１００に取り付けられるコネクタカバー８０とから構成される。さらに、主基板ケース１００は、遊技盤１０の裏面側に着脱されるケース本体部材５０と、このケース本体部材５０に着脱自在に取り付けられるケース蓋部材６０とから構成される。この主基板アッセンブリ３０は、主制御基板３１がケース蓋部材６０の内面側に取り付けられた状態で、このケース蓋部材６０をケース本体部材５０に装着可能に構成される。
【００２５】
主制御基板３１は、図４に示すように、短形板状の形状を有しており、中央部に配設されたＲＯＭやＲＡＭを内臓のＣＰＵ等の電子デバイス３２や左右縁部に配設された複数の接続コネクタ３３（接続コネクタ３３ａ，３３ｂ，３３ｃ，３３ｄ）等の電子部品を備えて構成される。この主制御基板３１の四隅には、基板取付孔３４が形成されており、基盤取付ネジ３５をこの基板取付孔３４に挿入し、図５に示すケース蓋部材６０の基板取付部６７に対して螺挿してネジ締結するように構成されている。
【００２６】
ケース本体部材５０は、主基板ケース１００が遊技盤１０に取り付けられた状態で後面側に開口を有する短形箱状の形状を有しており、ＡＢＳ樹脂やポリカーボネート（ＰＣ）等の透明な樹脂材料を用いて射出成形等の成形手段により一体的に成形される。このケース本体部材５０の内面側底部５１には、図４に示すように、補強リブ５１ａが縦横に格子状に形成されており、ケース本体部材５０の強度を向上させている。
【００２７】
ケース本体部材５０の本体部材側壁部（底部５１の上下の縁部から後方に延びる側壁部）５３，５３のそれぞれには、複数の蓋部材取付溝５４が形成されている。この蓋部材取付溝５４は、後方及びケース本体部材５０の内面側に開口する挿入溝部と左側に延びてケース本体部材５０の内面側に開口する係止溝部とから構成され、図３の状態において下方もしくは上方から見たときに本体部材側壁部５３に対してＬ字状の溝として形成されている。また、本体部材側壁部５３の内面側の壁面と平行に、蓋部材取付溝５４のそれぞれと対向するように、蓋部材押圧壁５２が底部５１から後方に板状に延びて形成されている。この蓋部材押圧壁５２の左右方向幅は、蓋部材取付溝５４の左右方向幅と略同一の大きさに形成されており、図３の状態において上方もしくは下方から見たときに、蓋部材押圧壁５２と蓋部材取付溝５４とは重なるように配置されている。
【００２８】
ケース本体部材５０の左側部には、主基板アッセンブリ３０を主基板取付部材１３ａに固定するための左側固定部５７が、ナイラッチ（登録商標）３７を挿入するためのナイラッチ取付孔を有して、外方（図３の状態において左方向）に延びて形成されている。
【００２９】
ケース蓋部材６０は、ケース本体部材５０の開口を覆う短形箱状の形状を有しており、ＡＢＳ樹脂やポリカーボネート（ＰＣ）等の透明な樹脂材料を用いて射出成形等の成形手段により一体的に成形される。図５に示すように、このケース蓋部材６０の上下の縁部から前方に延びる側壁部（蓋部材側壁部）６６，６６のそれぞれには、外方（図３の状態において上下方向）に突出する係止突起部６２が複数形成されている。この係止突起部６２は、上述の蓋部材取付溝５４と同じ数だけ形成されており、その配置間隔も蓋部材取付溝５４と対応している。また、この蓋部材側壁部６６の内側面には、各々の係止突起部６２と対応して内方に突出する押圧突起部６１が形成されている。この押圧突起部６１は、係止突起部６２に対してケース本体部材５０にケース蓋部材６０を取り付けるときにスライド移動させる方向と反対方向にずれて形成されている。
【００３０】
ケース蓋部材６０の左右縁部には、主制御基板３１上に配設された各接続コネクタ３３のコネクタ接続部３６（図６において、コネクタ接続部３６ａ，３６ｂ，３６ｃ，３６ｄ）を外方（図３の状態において後方）に露出するためのコネクタ挿抜孔６８（図５において、コネクタ挿抜孔６８ａ，６８ｂ，６８ｃ，６８ｄ）が複数形成されている。この各コネクタ挿抜孔６８は、上述の各接続コネクタ３３の位置と対応した位置かつ同じ数だけ形成されており、各コネクタ挿抜孔６８を介して後方に露出される各コネクタ接続部３６に図示しないハーネス（ケーブル）側コネクタが接続され、この各ハーネス側コネクタから延びるハーネス（ケーブル）を介して図示しない他の基板（例えば、払出制御基板、画像制御基板等）と主制御基板３１とが電気的に接続される。
【００３１】
また、ケース蓋部材６０の外面側底部の右側上部（図５において、コネクタ挿抜孔６８ａの左側）には、後述するコネクタカバー８０を取り付けるためのカバー取付ネジ１００ａが螺挿されるカバー係合突出部６５ａが後方に突出して形成されており、ケース蓋部材６０の右側部（図５において、コネクタ挿抜孔６８ａの右側）には外方（図３の状態において右方向）に突出するカバー係止突起部６５ｂが形成されている。さらに、ケース蓋部材６０の右側部（カバー係止突起部６５ｂよりも下方部）には、主基板アッセンブリ３０を主基板取付部材１３ｂに固定するための右側固定部６９が、後述するカバー取付ネジ９１ｂを挿入するためのカバー取付孔６９ａを有して、外方（図３の状態において右方向）に延びて形成されている。
【００３２】
ケース本体部材５０に対してケース蓋部材６０を取り付けるときは、図３の状態において後方から蓋部材取付溝５４の挿入溝部に係止突起部６２を挿入し、その後、ケース蓋部材６０を左右方向（この実施形態においては左方向）にスライド移動させて係止突起部６２を蓋部材取付溝５４の係止溝部に挿入させることで、係止突起部６２と蓋部材取付溝５４とを嵌合させる。
【００３３】
このとき、係止突起部６２を蓋部材取付溝５４の挿入溝部に挿入した状態では、押圧突起部６１は、蓋部材押圧壁５２の右方に位置するが、この状態からケース蓋部材６０をケース本体部材５０に対して左方向にスライド移動させ、係止突起部６２が蓋部材取付溝５４の係止溝部に挿入させた状態では、蓋部材側壁部６６の外側面と本体部材側壁部５３の内側面とが密接し、押圧突起部６１は本体部材側壁部５３と蓋部材押圧壁５２とに狭持される。
【００３４】
ケース本体部材５０とケース蓋部材６０とを以上のように構成すると、このケース本体部材５０にケース蓋部材６０を取り付けたときに、係止突起部６２が蓋部材取付溝５４と嵌合するため、ケース蓋部材６０はケース本体部材５０に対して後方への移動（ケース本体部材５０からケース蓋部材６０を外すための移動）が規制される。また、蓋部材側壁部６６は、押圧突起部６１と蓋部材押圧壁５２とによりケース本体部材５０の内側面に押しつけられて密接しているため、蓋部材側壁部６６を内側に押し込むことができず、係止突起部６２を蓋部材取付溝５４から外すことができない。
【００３５】
ケース本体部材５０の左縁部には本体側仮止部５５が形成されており、ケース蓋部材６０の左側部には蓋側仮止部６３が形成されている。ケース本体部材５０にケース蓋部材６０が取り付けられたとき、すなわち、ケース本体部材５０に対してケース蓋部材６０が左方向にスライド移動して取り付けられたときに、これらの本体側仮止部５５と蓋側仮止部６３との位置は一致して係合し、ケース蓋部材６０がケース本体部材５０に対して右方向にスライド移動するのを規制する。なお、ケース本体部材５０及びケース蓋部材６０は、上述のように、樹脂材料で薄く形成されており容易に撓めることができる。そのため、蓋側仮止部６３の左端側を本体側仮止部５５から離すように撓めることにより本体側仮止部５５と蓋側仮止部６３との係合は解除され、ケース本体部材５０に対してケース蓋部材６０を右方にスライド移動して、このケース蓋部材６０をケース本体部材５０から取り外すことができる。
【００３６】
このように、主制御基板３１が収容される主基板ケース１００を、互いに分離できるケース本体部材５０とケース蓋部材６０とに分けて構成することにより、主制御基板３１をケース蓋部材６０に取り付けるときは、このケース蓋部材６０の開口部を上方に向けて作業机等に載置した状態で行うことができるので、取り付け作業が容易になり組み立ての作業効率が向上する。また、ケース蓋部材６０をケース本体部材５０に取り付けるときも、スライド移動だけで取り付けることができるので、この作業も容易である。さらに、このようにケース本体部材５０にケース蓋部材６０をスライド移動して取り付ける構成にすると、ケース本体部材５０側に蓋部材取付溝５４を形成し、ケース蓋部材６０に係止突起部６２を形成することで取り付け構造ができるため、主基板ケース１００の構造を簡単にすることができる。
【００３７】
以上のように、主制御基板３１は、主基板ケース１００（ケース本体部材５０及びケース蓋部材６０）内に格納されているため、主制御基板３１に対する不正行為を防止することができる。しかしながら、ケース本体部材５０に対してケース蓋部材６０が取り付けられた状態にあるときは、本体側仮止部５５と蓋側仮止部６３とが係合しているだけであり、ケース本体部材５０からケース蓋部材６０を取り外すことは容易である。そこで、閉止状態にあるケース蓋部材６０をケース本体部材５０に対してスライド移動できなくして、主制御基板３１に対する不正行為を防止するために、主基板アッセンブリ３０の主基板ケース１００には不正開放防止機構７０が設けられている。
【００３８】
不正開放防止機構７０は、ケース本体部材５０の左縁部に連結して一体に形成された４つの本体側係合部５６と、ケース蓋部材６０の左側部に切断可能な連結部６４ａを介し連結して形成された４つの蓋側係合部６４（蓋側係合部６４は、ケース蓋部材６０から分離可能に形成されている）と、蓋側係合部６４に挿入されて、ケース本体部材５０にケース蓋部材６０を固定保持する４つのストッパ部材７１とから構成される。
【００３９】
ケース蓋部材６０をケース本体部材５０に対してスライド移動させて蓋側係合部６４が本体側係合部５６と対向して重なる状態にすると、蓋側係合部６４に挿入されたストッパ部材７１に設けられた係合爪と本体側係合部５６に設けられた係合凹部とが係合して、本体側係合部５６と蓋側係合部６４とが係止保持され、ケース本体部材５０に対するケース蓋部材６０の右方向へのスライド移動が規制される。そのため、ケース本体部材５０にケース蓋部材６０が装着された状態、すなわち、係止状態が保持される。これにより、本体側係合部５６と蓋側係合部６４とをストッパ部材７１を介して容易に結合させることができ、ケース本体部材５０とケース蓋部材６０とを閉止状態で容易に結合保持することができる。
【００４０】
このような不正開放防止機構７０によりケース本体部材５０とケース蓋部材６０とが閉止状態で結合保持されれば、本体側係合部５６と係合したストッパ部材７１との係合を解除するのは非常に困難であり、主基板ケース１００（主基板アッセンブリ３０）を開くためには、連結部６４ａを切断して蓋側係合部６４をケース蓋部材６０から切り離す必要がある。そのため、主基板ケース１００の開放後は、連結部６４ａの切断痕跡が明確に残るため、不正な開放を早期に発見できるとともに、不正行為を効果的に抑止できる。
【００４１】
以上のように、主制御基板３１は、主基板ケース１００（ケース本体部材５０及びケース蓋部材６０）内に格納され、不正開放防止機構７０により閉止状態で結合保持されるので、主制御基板３１に対する不正行為を防止することができる。しかしながら、ケース蓋部材６０の左右縁部に形成された各コネクタ挿抜孔６８からは、主制御基板３１上に配設された各接続コネクタ３３のコネクタ接続部３６が主基板ケース１００の外方に露出している。この各コネクタ接続部３６には、図示しない他の基板（例えば、払出制御基板、画像制御基板等）と主制御基板３１とを電気的に接続する図示しないハーネス（ケーブル）に設けられたハーネス側コネクタがそれぞれ接続されており、ハーネス側コネクタをコネクタ接続部３６から容易に着脱することができる。そこで、コネクタ接続部３６からハーネス側コネクタを不正に着脱する操作を防止するために、主基板アッセンブリ３０の主基板ケース１００にはコネクタカバー８０が設けられている。
【００４２】
コネクタカバー８０は、ケース蓋部材６０に取り付けられた状態で前面側に開口を有する箱状の形状を有しており、ＡＢＳ樹脂やポリカーボネート（ＰＣ）等の透明な樹脂材料を用いて射出成形等の成形手段により一体的に成形される。そして、コネクタカバー８０は、主制御基板３１上に配設された各接続コネクタ３３のコネクタ接続部３６（本実施形態では、主制御基板３１の右側上部に配設された接続コネクタ３３ａ，３３ｂのコネクタ接続部３６ａ，３６ｂ）を、図３の状態において後方から覆ってケース蓋部材６０に取り付けられる。    
【００４３】
図７に示すように、コネクタカバー８０の底面部８１ｅの各縁部には、図３の状態において、上方に開口部８１ａと、それぞれ前方に延びる側壁部（カバー側壁部８１ｂ，８１ｃ，８１ｄ）とが形成されている。カバー側壁部８１ｃの上部には、外方（図３の状態において左方向）に突出するカバー側係合部８２が形成されている。このカバー側係合部８２には、上述のケース蓋部材６０の外面側底部に後方に突出して形成されたカバー係合突出部６５ａが係合される係合孔８２ａが形成されている。さらに、係合孔８２ａの底部には、後述するカバー取付ネジ９１ａを挿入するためのカバー取付孔８２ｂが形成されている。
【００４４】
また、カバー側壁部８１ｄの上部には、外方（図３の状態において右方向）に突出し、かつカバー側壁部８１ｄに沿うように前方に延びるカバー側係止部８３が形成されている。このカバー側係止部８３は、図３の状態における右方からの側面視においてコの字状の形状（図７の（Ｄ）参照）を有して形成されている。さらに、カバー側壁部８１ｄの下部には、外方（図３の状態において右方向）に突出し、かつカバー側壁部８１ｂより下方に延びるカバー側固定部８４が形成されている。このカバー側固定部８４は、図３の状態における後方からの平面視においてＬ字状の形状を有しており、カバー側固定部８４の下端部には、後方面が開口した円筒形状を有し、後述するカシメ部材９０が内部に挿着されるカシメ挿入部８４ａが前方に突出して形成されている。カシメ挿入部８４ａの底部には、後述するカバー取付ネジ９１ｂを挿入するためのカバー取付孔８４ｂが形成されている。
【００４５】
次に、図８を参照して、コネクタカバー８０を、ケース蓋部材６０及び主基板取付部材１３ｂに固定する方法を説明する。
【００４６】
上述したように、主制御基板３１が主基板ケース１００（ケース本体部材５０及びケース蓋部材６０）内に格納され、不正開放防止機構７０によって閉止状態で結合保持されて、他の基板と主制御基板３１とを電気的に接続する図示しないハーネスに設けられたハーネス側コネクタが、各コネクタ挿抜孔６８から露出した各接続コネクタ３３のコネクタ接続部３６に接続された状態において、コネクタカバー８０はケース蓋部材６０（主基板ケース１００）に取り付けられる。また、コネクタカバー８０は、各接続部３６に対向するように、かつ各接続部３６に接続されているハーネス側コネクタから延びるハーネスを、コネクタカバー８０の内部に無理なく配置できる程度に近接して取り付けられている。さらに、コネクタカバー８０は、上方に開口部８１ａを有しているので、ハーネスを無理なく開口部８１ａから外部に延ばすことができるように構成されている。なお、本実施形態では、コネクタカバー８０は、接続コネクタ３３ａ，３３ｂのコネクタ接続部３６ａ，３６ｂに接続される各ハーネス側コネクタに対して設けられている。
【００４７】
コネクタカバー８０のケース蓋部材６０への取り付けは、まず、カバー側壁部８１ｃから左方に突出するカバー側係合部８２に形成された係合孔８２ａに、ケース蓋部材６０の外面側底部に形成されたカバー係合突出部６５ａを挿入するように係合させるとともに、カバー側壁部８１ｄの上部に形成されたカバー側係止部８３が、ケース蓋部材６０の右側部に右方に突出して形成されたカバー係止突起部６５ｂを後方から囲むように、カバー側係止部８３とカバー係止突起部６５ｂとが係止される。そして、係合孔８２ａとカバー係合突出部６５ａとが係合された状態において、カバー取付ネジ９１ａを係合孔８２ａのカバー取付孔８２ｂ（図７参照）に挿入し、ケース蓋部材６０のカバー係合突出部６５ａに対して螺挿してネジ締結される。
【００４８】
このように、コネクタカバー８０がケース蓋部材６０に係合されると、カバー側壁部８１ｄの下部に形成されたカバー側固定部８４のカシメ挿入部８４ａの底部が、ケース蓋部材６０の右側部に右方に延びて形成された右側固定部６９（図６参照）の後方側面と近接し、カシメ挿入部８４ａのカバー取付孔８４ｂと右側固定部６９のカバー取付孔６９ａ（図６参照）が対向するように構成されている。
【００４９】
コネクタカバー８０（主基板ケース１００）の主基板取付部材１３ｂへの取り付けは、まず、ケース本体部材５０の左側部に左方に延びて形成された左側固定部５７（図４参照）に取り付けられたナイラッチ（登録商標）と称される締結具３７（図２参照）を用いて、主基板ケース１００を主基板取付部材１３ａに取り付けるとともに、上述したように、コネクタカバー８０をケース蓋部材６０に固定させた状態において、カバー取付ネジ９１ｂを、カシメ挿入部８４ａのカバー取付孔８４ｂ及び右側固定部６９のカバー取付孔６９ａに挿入し、主基板取付部材１３ｂに対して螺挿してネジ締結される。
【００５０】
そして、コネクタカバー８０及び主基板ケース１００が、カバー取付ネジ９１ｂを用いて主基板取付部材１３ｂにネジ締結された状態において、カバー側固定部８４のカシメ挿入部８４ａにカシメ部材９０が挿入される。カシメ部材９０は、前方面が開口した円筒形状に形成されている。また、カシメ部材９０の外周側面には、図示しない係合爪が形成されており、カシメ挿入部８４ａにカシメ部材９０が挿入されると、カシメ挿入部８４ａの内側面に形成された図示しない係合凹部とカシメ部材９０の係合爪とが係合される。
【００５１】
そのため、一旦、カシメ部材９０をカシメ挿入部８４ａに挿入し、コネクタカバー８０及び主基板ケース１００を主基板取付部材１３ｂに固定されると、コネクタカバー８０の固定状態を壊さなければ、コネクタカバー８０を主基板ケース１００から取り外す操作、もしくは主基板ケース１００を主基板取付部材１３ｂから取り外す操作を行うことができないように構成されている。
【００５２】
以上のように、主制御基板３１上に配設された接続コネクタ３３ａ，３３ｂのコネクタ接続部３６ａ，３６ｂに図示しない各ハーネス側コネクタが接続された状態において、図９に示すように、コネクタカバー８０及び主基板ケース１００を主基板取付部材１３ｂに固定すると、各ハーネス側コネクタは、コネクタカバー８０の底面部８１ｅ及びカバー側壁部８１ｂ，８１ｃ，８１ｄによって囲まれている。このため、各ハーネス側コネクタをコネクタ接続部３６ａ，３６ｂから抜脱しようとすると、各ハーネス側コネクタが、コネクタカバー８０の底面部８１ｅやカバー側壁部８１ｂ，８１ｃ，８１ｄのいずれかに当接して、各ハーネス側コネクタの抜脱が規制される。また、同様に、コネクタ接続部３６ａ，３６ｂへの各ハーネス側コネクタの挿着が規制される。
【００５３】
つまり、一旦、コネクタカバー８０及び主基板ケース１００を主基板取付部材１３ｂに固定すると、カシメ部材９０がカシメ挿入部８４ａに挿入されているので、外側からカバー取付ネジ９１ｂを操作することができず、コネクタカバー８０の固定状態を壊さなければ、コネクタ接続部３６ａ，３６ｂに接続された各ハーネス側コネクタを抜脱する、もしくはコネクタ接続部３６ａ，３６ｂに各ハーネス側コネクタを挿着することができない。このため、高い抑止力を有して、コネクタ接続部３６ａ，３６ｂに接続された各ハーネス側コネクタから延びる図示しないハーネスの不正交換を防止することができる。さらに、コネクタカバー８０とともに主基板ケース１００も、カシメ部材９０を用いて、主基板取付部材１３ｂに固定されているので、主基板ケース１００内に格納された主制御基板３１に対する不正行為も効果的に防止することができる。
【００５４】
また、万一、主制御基板３１が故障等により、コネクタ接続部３６ａ，３６ｂに接続された各ハーネス側コネクタを抜脱する際は、カシメ挿入部８４ａに挿入されたカシメ部材９０の底面部を破壊し、カバー取付ネジ９１ｂを操作することによって、コネクタカバー８０及び主基板ケース１００を主基板取付部材１３ｂから取り外すことができる。そして、新たにコネクタカバー８０及び主基板ケース１００を主基板取付部材１３ｂに取り付けるときには、破損したカシメ部材９０に換えて、新たなカシメ部材を用いれば良く、コネクタカバー８０及び主基板ケース１００を破損することを防ぐことができる。
【００５５】
なお、本発明は上記の実施形態に限定されるものではなく、種々の変形が可能である。例えば、本実施形態では、コネクタカバー８０は、ケース蓋部材６０に係合されているが、ケース本体部材５０に係合されるように構成されても良く、コネクタカバー８０が主基板ケース１００に係合される構成が好ましい。また、コネクタカバー８０は、主制御基板３１上に配設された接続コネクタ３３ａ，３３ｂに対して設けたが、他の接続コネクタ（例えば、接続コネクタ３３ｃ、３３ｄ）においても、同様にコネクタカバー８０を設けることが望ましい。
【００５６】
さらに、本実施形態では、カシメ部材９０を用いて、コネクタカバー８０及び主基板ケース１００を主基板取付部材１３ｂに固定したが、例えば、カシメ挿入孔８４ａの外周側面に形成された係合爪と、主基板取付部材１３に形成されたカシメ挿入孔８４ａの挿入部及びその内側面に係合凹部とによって、一旦固定されると取り外しできないように構成されれば良い。また、本実施形態では、主制御基板３１を格納した主基板ケース１００を例に説明したが、他の基板ケース（例えば、払出制御基板、画像制御基板等を格納する基板ケース）においても、主基板アッセンブリ３０と同様にコネクタカバー８０を有した構成にすることで、これらの基板と接続しているハーネスの不正交換を、高い抑止力を有して防止することができる。
【図面の簡単な説明】
【００５７】
【図１】本発明に係る遊技機の一例として示すパチンコ機の正面図である。
【図２】上記パチンコ機に設けられた遊技盤の背面図である。
【図３】上記遊技盤の背面斜視図である。
【図４】上記パチンコ機に設けられた主基板アッセンブリの分解斜視図である。
【図５】上記主基板アッセンブリを構成するケース蓋部材を示す図であって、（Ａ）は平面図であり、（Ｂ）は背面図である。
【図６】上記パチンコ機に設けられた主基板アッセンブリの平面図である。
【図７】上記主基板アッセンブリに設けられるコネクタカバーを示す図であって、（Ａ）は平面図、（Ｂ）は背面図、（Ｃ）は右側面図、（Ｄ）は左側面図である。
【図８】上記コネクタカバーの取り付け方法を示す図である。
【図９】本実施形態に係るコネクタカバーを備えた基板ケースを示す背面斜視図である。
【符号の説明】
【００５８】
ＰＭ  パチンコ機（制御対象本体）        ３０  主基板アッセンブリ（基板ケース）
３１  主制御基板（制御基板）            ３３  接続コネクタ（基板側コネクタ）
３６  コネクタ接続部                    ６８  コネクタ挿抜孔
８０  コネクタカバー                    ９０  カシメ部材（封止部材）
１００  主基板ケース（基板収容部材）
【図１】
2008154897.tif 000003
【図２】
2008154897.tif 000004
【図３】
2008154897.tif 000005
【図４】
2008154897.tif 000006
【図５】
2008154897.tif 000007
【図６】
2008154897.tif 000008
【図７】
2008154897.tif 000009
【図８】
2008154897.tif 000010
【図９】
2008154897.tif 000011